(57)【要約】      （修正有）【課題】低コストで要求される防火基準を充分に満たすことができるとともに、省資源・環境保護にも寄与するログ材を提供する。【解決手段】肉厚が１７〜１５０ｍｍの範囲にある木材を用いた２つの外板と、２つの外板の間に挟まれて接着剤により接合される、肉厚が７〜５０ｍｍの範囲にあるパーティクル・ボードおよび不燃材のうちの一方を用いた少なくとも１つの内板とからなる。【選択図】図１
0003167157.tif 000002
【実用新案登録請求の範囲】
【請求項１】
肉厚が17〜150mmの範囲にある木材を用いた２つの外板（１１−１，１１−２）と、
前記２つの外板の間に挟まれて接着剤により接合される、肉厚が7〜50mmの範囲にあるパーティクル・ボードおよび不燃材のうちの一方を用いた少なくとも１つの内板（２１−１，２１−２）と
からなるログ材。
【考案の詳細な説明】
【技術分野】
【０００１】
本考案はログ材に関する。具体的には、低コストで要求される防火基準を充分に満たすことができるとともに、省資源・環境保護にも寄与するログ材を提供せんとするものである。
【背景技術】
【０００２】
建築物として、丸太材あるいは角材を水平方向に井桁状に組み合わせたログハウスがある。このログハウスは、断熱性が高く夏は涼しく冬は暖かいという特長を有するとともに、天然木特有の温かみを感じさせるものである。
【０００３】
このようなログハウスは、従来は、主としてリゾート地などにおいて建築されていたが、近年は、ログハウスが有する特長・長所に着目して、市中の住宅地においても建築されている。
【考案の概要】
【考案が解決しようとする課題】
【０００４】
しかしながら、ログハウスも建築物である以上、建築基準法が定める防火基準を満たす必要がある。同法によれば、不特定多数人が集まる学校・病院等の特殊建築物および大規模建築物のいずれにも該当しない一般建築物にあっては、用途の指定に応じて加熱開始から建築物が崩壊するまでの時間は20分あるいは30分以上とされている。また、特殊建築物にあっては、加熱開始から建築物が崩壊するまでの時間が45分以上であれば、建築物は、延べ面積が1500ｍ２まで可能であり、60分以上であれば3000ｍ２まで可能である。
【０００５】
そこで、例えば、木材のうち最も燃焼速度が速い杉をログ材として用いた場合は、杉の燃焼速度は、0.8mm／10分であることから、一般に肉厚が100mm以上あるログ材を用いたログハウスは、建築基準法が定める防火基準を満たすことになる。
【０００６】
しかし、ログ材には、肉厚が厚くなると、高価格になるという解決すべき課題があった。すなわち、夏は涼しく冬は暖かいという特長を有し、天然木特有の温かみを感じさせるという特長・長所を有するログハウスの普及の拡大を図るためには、その低価格化が望まれていた。
【課題を解決するための手段】
【０００７】
そこで、上記課題を解決するために、本考案はなされたものである。そのために、本考案では、ログハウスを建築するためのログ材として、杉・桧・松などの木材を用いた２つの外板の間に、解体廃材等を粉粒状にしたものを接着剤と混合したうえで熱圧成型したパーティクル・ボードまたは不燃材を挟んで接着するという手段を用いるようにした。
【考案の効果】
【０００８】
本考案によるならば、肉厚がより薄い木材を使用しつつ、要求される防火基準を満たすことができるので、従来に比して低コストでログ ハウスを建築することが可能となる。
【０００９】
また、解体廃材等を利用した再生品であるパーティクル・ボードを材料に使用することから、省資源の要請に応えることができるとともに、耐用年数を経過したログハウスは、これに使用しているログ材をパーティクル・ボードとして再生することができるので、安定した循環型の建築材料として利用することが可能となる。また、解体廃材等を利用することは、二酸化炭素を固定化し、その固定期間を長期化することができ、しかも、ログハウスを建築するための工法は単純であることから、作業中に発生する二酸化炭素を削減できるので、地球環境の保護にも寄与することになる。したがって、本考案によりもたらされる効果は、実用上極めて大きい。
【図面の簡単な説明】
【００１０】
【図１】本考案の一実施例の構成を示す部分横断面図である。
【図２】図１に示したログ材を用いた適用例としてのログハウスの外壁の構成を示す部分縦断面図である。
【考案を実施するための形態】
【００１１】
本考案によるログ材は、材料に杉を用いた２つの外板と、この２つの外板の間に挟まれて接着される、解体廃材等を粉粒状にしたものを接着剤と混合したうえで熱圧成型した２つのパーティクル・ボードとにより構成される。以下、実施例により詳しく説明する。
【実施例１】
【００１２】
本考案の一実施例の構成を、図１に示し説明する。ここで、図１は、本実施例におけるログ材の構成を示す部分横断面図である。
【００１３】
図１において、ログ材１０は、同一構成の２つの外板１１−１，１１−２と、これらにより挟まれた２つの同一構成の内板２１−１，２１−２とからなるハイブリッド構造となっている。外板１１−１，１１−２の材料には、本実施例では、それぞれ杉の木材が用いられており、各肉厚は34mmである。
【００１４】
他方、内板２１−１，２１−２の材料には、解体廃材等を粉粒状にしたものを接着剤と混合したうえで熱圧成型した、熱交換比が低いパーティクル・ボードが用いられており、各肉厚は、本実施例ではそれぞれ10mmである。
【００１５】
このような外板１１−１，１１−２と内板２１−１，２１−２、および内板２１−１，２１−２どうしは、接着材を介して接合されており、ログ材１０全体としての肉厚は、肉厚が34mmである２つの外板１１−１，１１−２と、肉厚が10mmである２つの内板２１−１，２１−２とで88mmである。
【００１６】
このように、本考案によるログ材１０は、外板１１−１，１１−２に杉を用い、内板２１−１，２１−２にパーティクル・ボードを用いるという異なる素材からなるハイブリッド構造となっていることから、このログ材１０を使用してログハウスを建築するならば、ログハウスの外気と内気とは融和しにくいものとなる。
【００１７】
また、外板１１−１，１１−２と内板２１−１，２１−２、および内板２１−１，２１−２どうしを接合するための接着剤は、通常は600〜800℃で溶解して剥離するが、溶解後はガラス化して膜を形成し、この膜により燃焼の進行は妨げられる。
【００１８】
図２は、以上のように構成された本実施例におけるログ材１０を用いた適用例としてのログハウスの外壁の構成を示す部分縦断面図である。
【００１９】
図２において、図面上で中段のログ材１０Ｂについて説明すると、ログ材１０Ｂは、上部の一方の端部が面取りされ、下部が部分的に切り欠かれた２つの外板１１Ｂ−１，１１Ｂ−２と、上端が外板１１Ｂ−１，１１Ｂ−２よりも上方に突出し、下端が外板１１Ｂ−１，１１Ｂ−２の下端よりも上方に位置する２つの内板２１Ｂ−１，２１Ｂ−２とのハイブリッド構造となっている。このような構造は、図面上で最上段のログ材１０Ｂおよび最下段のログ材１０Ｂも同じである。
【００２０】
そこで、次段のログ材１０Ｂの内板２１Ｂ−１，２１Ｂ−２における外板１１Ｂ−１，１１Ｂ−２よりも上方に突出する部分を、最上段のログ材１０Ｂ下部における外板１１Ｂ−１，１１Ｂ−２と内板２１Ｂ−１，２１Ｂ−２とにより形成される凹字状の空隙部内に嵌合するようにして、両者を組み合わせる。次段のログ材１０Ｂと、最下段のログ材１０Ｂとの組み合わせ方法も同じである。このようにして各ログ材１０Ｂを垂直方向に組み合わしてログハウスの外壁を形成する。
【００２１】
既に述べたように、本実施例において外板１１−１，１１−２の材料として用いる杉の燃焼速度は、0.8mm／10分である。しかし、本実施例における杉を用いた外板１１−１，１１−２は、その肉厚がそれぞれ34mmであり、さらに、その内側に肉厚がそれぞれ10mmの２つの内板２１−１，２１−２を介在させているので、建築基準法が定める防火基準を充分に満たすことになる。すなわち、より肉厚が薄い素材を用いることによって建築基準法が定める防火基準を満たすことができることから、より低コストでログハウスを建築することが可能となる。
【００２２】
また、内板２１−１，２１−２の素材として用いるパーティクル・ボードは、解体廃材等を利用した再生品であることから、省資源の要請に応えることができるだけでなく、二酸化炭素を固定化し、その固定期間を長期化するので、地球環境の保護にも寄与することになる。
【００２３】
以上においては、外板１１−１，１１−２の材料として杉の木材を用いる場合を例に挙げて説明したが，本考案は、これに限定されるものではない。その他にも、例えば、桧あるいは松などの木材を外板１１−１，１１−２の材料として用いる場合にも、本考案は適用され得るものである。桧や松は、杉よりも燃焼速度が遅いので（桧の燃焼速度は、0.7mm／10分）、外板１１−１，１１−２の材料として桧や松を用いれば、本考案の有用性はより発揮されるものである。
【００２４】
また、外板１１−１，１１−２の各肉厚がそれぞれ34mm、内板２１−１，２１−２の各肉厚がそれぞれ10mmである場合について説明した。しかし、本考案は、これに限られるものではない。外板１１−１，１１−２の肉厚が17〜150mm、内板２１−１，２１−２の肉厚が7〜50mmである場合について、本考案は適用し得るものである。
【００２５】
さらに、２つの内板２１−１，２１−２を用いる場合について説明したが、本考案は、これに限定されるものではない。少なくとも１つの内板を用いる場合について、本考案は適用することができるものである。
【００２６】
なお、ホウ酸を含浸させた外板１１−１，１１−２を用いるならば、ホウ酸は燃焼しにくく、被燃焼物の表面を炭化させて燃焼を進行させないので、ログ材１０の防火性を一層高めることが可能となる。
【００２７】
また、外板１１−１，１１−２と内板２１−１，２１−２、および内板２１−１，２１−２どうしを接合するための接着剤として、セラミックを材料に用いた接着剤を使用すると、防火性をさらに高めることが可能となる。
【００２８】
さらに、防火性をとくに重視するのであれば、内板の材料として不燃処理を施した不燃材を用いるようにしてもよい。
【符号の説明】
【００２９】
１０，１０Ｂ  ログ材
１１−１，１１−２，１１Ｂ−１，１１Ｂ−２  外板
２１−１，２１−２，２１Ｂ−１，２１Ｂ−２  内板
【図１】
0003167157.tif 000003
【図２】
0003167157.tif 000004